(57)【要約】【課題】リム吐水口から吐出される洗浄水によるボウル部の洗浄が終了した後、残水がリム吐水口から点滴してしまうことを抑制できる水洗式大便器を提供すること。【解決手段】本発明は、ボウル形状の汚物受け面と、当該汚物受け面の上縁部に形成されたリム部と、を有するボウル部と、前記リム部に設けられ、前記ボウル部内に洗浄水を吐水して当該洗浄水による旋回流を形成するリム吐水部と、前記汚物受け面の後方側に位置するリム通水開始領域まで洗浄水を導水する導水路と、前記導水路に接続され前記リム通水開始領域から前記リム吐水部まで洗浄水を導水するリム通水路と、前記ボウル部の下方に接続された排水路と、前記導水路から前記排水路に至る水抜流路と、を備えたことを特徴とする水洗式大便器である。【選択図】図２
2017166315.tif 000002
【特許請求の範囲】
【請求項１】
ボウル形状の汚物受け面と、当該汚物受け面の上縁部に形成されたリム部と、を有するボウル部と、
前記リム部に設けられ、前記ボウル部内に洗浄水を吐水して当該洗浄水による旋回流を形成するリム吐水部と、
前記汚物受け面の後方側に位置するリム通水開始領域まで洗浄水を導水する導水路と、  前記導水路に接続され前記リム通水開始領域から前記リム吐水部まで洗浄水を導水するリム通水路と、
前記ボウル部の下方に接続されトラップ流路を有する排水路と、
前記導水路から前記排水路の上面側に至る水抜流路と、
を備えたことを特徴とする水洗式大便器。
【請求項２】
前記導水路の底面は、前記水抜流路の入口開口に向けて、高さ位置が低くなっている
ことを特徴とする請求項１に記載の水洗式大便器。
【請求項３】
前記導水路は、凹部を有しており、
前記水抜流路の入口開口は、前記凹部内に設けられている
ことを特徴とする請求項１または２に記載の水洗式大便器。
【請求項４】
前記リム通水路の底面は、前記導水路または前記水抜流路の入口開口に向けて、高さ位置が低くなっている
ことを特徴とする請求項１乃至３のいずれかに記載の水洗式大便器。
【請求項５】
前記水抜流路の出口開口は、前記排水路の上面側の最下位置において開口されている
ことを特徴とする請求項１乃至４のいずれかに記載の水洗式大便器。
【請求項６】
前記水抜流路の出口開口は、前記排水路の上面側の最下位置よりも後方側において開口されており、
前記水抜流路が当該出口開口の近傍領域で延びる方向は、当該出口開口に向かって後方向きである
ことを特徴とする請求項１乃至４のいずれかに記載の水洗式大便器。
【請求項７】
前記水抜流路の出口開口は、前記排水路の上面側の最下位置よりも前方側において開口されており、
前記水抜流路が当該出口開口の近傍領域で延びる、当該出口開口に向かって後方向きである
ことを特徴とする請求項１乃至４のいずれかに記載の水洗式大便器。
【請求項８】
前記水抜流路は、トラップ流路を有している
ことを特徴とする請求項１乃至７のいずれかに記載の水洗式大便器。
【請求項９】
前記導水路は、前記水抜流路の入口開口より上流側の前記導水路の底面から突出し、上流側から前記水抜流路の入口開口に向かう洗浄水を前記リム通水路にガイドするガイド部を有する
ことを特徴とする請求項１乃至８のいずれかに記載の水洗式大便器。
【請求項１０】
前記水抜流路の入口開口の近傍領域の断面積は、前記水抜流路の入口開口の断面積よりも大きい
ことを特徴とする請求項１乃至９のいずれかに記載の水洗式大便器。
【請求項１１】
前記水抜流路の少なくとも一部は、泥漿を外部に排出するために形成された排泥流路の一部からなる
ことを特徴とする請求項１乃至１０のいずれかに記載の水洗式大便器。
【発明の詳細な説明】
【技術分野】
【０００１】
本発明は、水洗式大便器に係り、特に、洗浄水源から供給される洗浄水により便器本体を洗浄して汚物を排出する水洗式大便器に関する。
【背景技術】
【０００２】
従来から、例えば、特許文献１に記載されているように、リムの第１吐水口及び第２吐水口の２つのリム吐水口のみから洗浄水が吐水され、ボウル部の汚物受け面上に旋回流となって供給される水洗便器について知られている。この水洗便器では、リムの第１吐水口から流出され旋回する洗浄水が、ボウル部の後方領域に設けられた案内面により溜水部に向かう束状の流れとなり、排水路内に流入して、サイホン作用を発生させて汚物等を排出している。
【０００３】
さらに、特許文献１の水洗便器を改良して、ボウル部内の浮遊系汚物を溜水内で上下方向に攪拌して排水路内へ効率よく排出するようにした水洗便器が、特許文献２に開示されている。
【先行技術文献】
【特許文献】
【０００４】
【特許文献１】特開２０１４−３７７２３号公報
【特許文献２】特開２０１５−１９６９６０号公報
【発明の概要】
【発明が解決しようとする課題】
【０００５】
本件発明者は、従来の水洗便器について、リム吐水口から吐出される洗浄水によるボウル部の洗浄が終了した後、残水がリム吐水口から点滴し、吐水（洗浄）が終了していないとの誤解を与える可能性があると共に、見映えが宜しくなく、また、残水の点滴によりボウル部に水垢が発生する懸念があることを把握した。
【０００６】
そこで、本発明の目的は、リム吐水口から吐出される洗浄水によるボウル部の洗浄が終了した後、残水がリム吐水口から点滴してしまうことを抑制できる水洗式大便器を提供することである。
【課題を解決するための手段】
【０００７】
本発明は、ボウル形状の汚物受け面と、当該汚物受け面の上縁部に形成されたリム部と、を有するボウル部と、前記リム部に設けられ、前記ボウル部内に洗浄水を吐水して当該洗浄水による旋回流を形成するリム吐水部と、前記汚物受け面の後方側に位置するリム通水開始領域まで洗浄水を導水する導水路と、前記導水路に接続され前記リム通水開始領域から前記リム吐水部まで洗浄水を導水するリム通水路と、前記ボウル部の下方に接続された排水路と、前記導水路から前記排水路に至る水抜流路と、を備えたことを特徴とする水洗式大便器である。
【０００８】
本発明によれば、導水路内の残水が、水抜流路を経て排水路に直接排水される。これにより、リム吐水口から吐出される洗浄水によるボウル部の洗浄が終了した後、残水がリム吐水口から点滴してしまうことを効果的に抑制することができる。
【０００９】
また、本発明における導水路とは、汚物受け面の後方側に位置するリム通水開始領域まで洗浄水を導水するものであるから、当該導水路（例えばリム通水開始領域）から排水路に至る水抜流路の長さを、結果として短くすることができる。これにより、効果的な水抜作用を期待することができる。
【００１０】
好ましくは、導水路の底面は、水抜流路の入口開口に向けて、高さ位置が低くなっている。この場合、導水路の残水が効果的に水抜流路の入口開口に向けて案内されるため、導水路の残水がリム吐水口から点滴してしまうことを一層効果的に抑制することができる。
【００１１】
また、導水路は、凹部を有しており、水抜流路の入口開口は、当該凹部内に設けられていることが好ましい。この場合、当該凹部に残水が集められると水位に応じた水頭圧が作用するため、一層効果的な水抜作用を期待することができる。
【００１２】
また、好ましくは、リム通水路の底面は、導水路または水抜流路の入口開口に向けて、高さ位置が低くなっている。この場合、リム通水路の残水が効果的に導水路ないし水抜流路の入口開口に向けて案内されるため、リム通水路の残水がリム吐水口から点滴してしまうことを一層効果的に抑制することができる。
【００１３】
水抜流路の出口開口は、例えば、排水路の上面側の最下位置において開口されている。この場合、封水水位が低下して水抜流路を介して臭気が上がってきてしまうという懸念に対して、最も有効である。
【００１４】
あるいは、水抜流路の出口開口は、排水路の上面側の最下位置よりも後方側において開口されており、水抜流路が当該出口開口の近傍領域で延びる方向は、当該出口開口に向かって後方向きである。この場合、水抜流路を通過してくる洗浄水が、封水を後方側（排出側）に向けて押し出すように作用するため、汚物、特に水の勢いに抗して浮遊してくる比較的微細な浮遊汚物の排出に効果的である。以下、この態様を「微弱サイホン」と呼んでいる。
【００１５】
あるいは、水抜流路の出口開口は、排水路の上面側の最下位置よりも前方側において開口されており、水抜流路が当該出口開口の近傍領域で延びる方向は、当該出口開口に向かって後方向きである。この場合も、水抜流路を通過してくる洗浄水が、封水を後方側（排出側）に向けて押し出すように作用するため、汚物、特に水の勢いに抗して浮遊してくる比較的微細な浮遊汚物の排出に効果的である（微弱サイホン）。
【００１６】
また、水抜流路は、トラップ流路を有していることが好ましい。ここでいうトラップ流路というのは、下方へ延びる流路部分の後に再び上方へ延びる流路部分を有する流路であり、排水路において広く採用されている構成である。
【００１７】
水抜流路がトラップ流路を有している場合には、水抜流路の出口開口に対して封水水面が低下してしまった場合であっても、水抜流路から排水路への残水の排出が途切れた後に水抜流路内に流入する残水によって、いわゆる封水が溜まり、当該封水によって水抜流路を介して臭気が上がってくること、衛生害虫等が侵入してくることが抑制される。
【００１８】
水抜流路がトラップ流路を有している場合には、水抜流路の出口開口を設計上の封水水面よりも上方に位置づけることも可能である。
【００１９】
また、導水路は、水抜流路の入口開口より上流側の当該導水路の底面から突出して、上流側から水抜流路の入口開口に向かう洗浄水をリム通水路にガイドするガイド部を有することが好ましい。当該構成によれば、上流側から水抜流路の入口開口に向かう洗浄水をリム通水路にガイドすることができるため、ボウル部の洗浄中において、十分な量の洗浄水をリム吐水口から吐水することができる。
【００２０】
前述のように、ボウル部の洗浄中においては、十分な量の洗浄水がリム吐水口から吐水されるべきであるから、水抜流路から排水されてしまう洗浄水の量は少ない方がよい。従って、水抜流路の入口開口の断面積は、小さい方がよい。具体的には、残水の水抜機能のみで足りる場合には、水抜流路の入口開口の断面積は７ｍｍ2〜２０ｍｍ2程度であることが好ましく、微弱サイホン作用を期待する場合には、水抜流路の入口開口の断面積は７８ｍｍ2〜３１４ｍｍ2程度であることが好ましい。また、このように水抜流路の入口開口の断面積が小さい場合、水抜流路の入口開口の近傍領域の断面積が水抜流路の入口開口の断面積よりも大きくなっていることが好ましい。当該構成は、表面張力が作用して残水が水抜流路の入口開口に流入しない、ということを抑制する上で効果的である。
【００２１】
水抜流路の少なくとも一部は、泥漿を外部に排出するために形成された排泥流路の一部からなることが好ましい。すなわち、一般に陶器として製造される水洗式大便器の製造過程で形成される排泥流路の一部を、水抜流路の少なくとも一部として流用することが好ましい。
【発明の効果】
【００２２】
本発明によれば、導水路内の残水が、水抜流路を経て排水路に直接排水される。これにより、リム吐水口から吐出される洗浄水によるボウル部の洗浄が終了した後、残水がリム吐水口から点滴してしまうことを効果的に抑制することができる。
【図面の簡単な説明】
【００２３】
【図１】本発明の第１実施形態による水洗式大便器の洗浄水の流れの様子を示す平面図（水洗式大便器を上から見た図）である。水洗式大便器の後方側が図１の左側となっており、水洗式大便器の前方側が図１の右側となっており、水洗式大便器の左方側が図１の下側となっており、水洗式大便器の右方側が図１の上側となっている。
【図２】本発明の第１実施形態による水洗式大便器の左右方向中央での断面図である。水洗式大便器の後方側が図２の左側となっており、水洗式大便器の前方側が図２の右側となっており、水洗式大便器の上方側が図２の上側となっており、水洗式大便器の下方側が図２の下側となっている。
【図３】本発明の第２実施形態による水洗式大便器の左右方向中央での断面図である。水洗式大便器の後方側が図３の左側となっており、水洗式大便器の前方側が図３の右側となっており、水洗式大便器の上方側が図３の上側となっており、水洗式大便器の下方側が図３の下側となっている。
【図４】本発明の第３実施形態による水洗式大便器の左右方向中央での断面図である。水洗式大便器の後方側が図４の左側となっており、水洗式大便器の前方側が図４の右側となっており、水洗式大便器の上方側が図４の上側となっており、水洗式大便器の下方側が図４の下側となっている。
【図５】本発明の第４実施形態による水洗式大便器の左右方向中央での断面図である。水洗式大便器の後方側が図５の左側となっており、水洗式大便器の前方側が図５の右側となっており、水洗式大便器の上方側が図５の上側となっており、水洗式大便器の下方側が図５の下側となっている。
【図６】本発明の第５実施形態による水洗式大便器の左右方向中央での断面図である。水洗式大便器の後方側が図６の左側となっており、水洗式大便器の前方側が図６の右側となっており、水洗式大便器の上方側が図６の上側となっており、水洗式大便器の下方側が図６の下側となっている。
【図７】本発明の第６実施形態による水洗式大便器の洗浄水の流れの様子を示す平面図（水洗式大便器を上から見た図）である。水洗式大便器の後方側が図７の左側となっており、水洗式大便器の前方側が図７の右側となっており、水洗式大便器の左方側が図７の下側となっており、水洗式大便器の右方側が図７の上側となっている。
【図８】本発明の第６実施形態による水洗式大便器の左右方向中央での断面図である。水洗式大便器の後方側が図８の左側となっており、水洗式大便器の前方側が図８の右側となっており、水洗式大便器の上方側が図８の上側となっており、水洗式大便器の下方側が図８の下側となっている。
【図９】図７のガイド部の拡大平面図である。
【図１０】ガイド部の形態の変形例を示す拡大平面図である。
【図１１】ガイド部の形態の別の変形例を示す拡大平面図である。
【発明を実施するための形態】
【００２４】
次に、添付図面を参照して、本発明の実施形態による水洗式大便器を説明する。
先ず、図１及び図２により、本発明の第１実施形態による水洗式大便器の構成を説明する。図１は、本発明の第１実施形態による水洗式大便器の洗浄水の流れの様子を示す平面図であり、図２は、本発明の第１実施形態による水洗式大便器の左右方向中央での断面図である。
【００２５】
図１及び図２に示すように、本発明の第１実施形態による水洗式大便器１は、ボウル部８内の水の落差による流水作用で汚物を押し流す洗い落し式便器であり、便器本体２を備えている。便器本体２には、洗浄水源である貯水タンク（図示せず）を介して、洗浄水が導入されるようになっている。便器本体２は、表面に釉薬層が形成された陶器製であり、下部にスカート部６が形成され、上部前方にボウル部８が形成されている。また、ボウル部８の後方には、貯水タンクの排水口に接続される導水路１０が形成され、さらに、ボウル部８の後方下部に汚物を排出するための排水路１２が形成されている。
【００２６】
もっとも、本発明は、洗浄水源として貯水タンクを使用した水洗式大便器に限らず、洗浄水源としてジェットポンプ機構を使用した貯水タンクを使用して洗浄水を供給する水洗便器や、直接洗浄水が供給される直圧給水式、および、ポンプ給水式の水洗便器等にも適用することができる。
【００２７】
ボウル部８は、ボウル形状の汚物受け面１６と、汚物受け面１６の上縁部に形成されたリム部１８と、汚物受け面１６の下方に形成された凹部２０と、を備えている。ここで、本実施形態のリム部１８の内周面１８ａは、図２に示すように、内側に向かってオーバーハングした形状となっており、旋回する洗浄水（詳しくは後述する）が外部へ飛び出ないようになっている。
【００２８】
図１に示すように、ボウル部８のリム部１８の内周面の前方から見て左側の中央部後方側に、洗浄水を吐水する第１リム吐水口２２（リム吐水部）が形成されている。本実施の形態では、更に、前方から見て右側の後方側且つ第１リム吐水口より後方側にも、第２リム吐水口２４（リム吐水部）が形成されている。これらの第１リム吐水口２２及び第２リム吐水口２４は、同一方向（図１では反時計回りの方向）に旋回する旋回流を形成するようになっている。
【００２９】
また、図１に示すように、ボウル部８の汚物受け面１６の後方に形成された導水路１０は、第１リム吐水口２２に洗浄水を供給する第１リム通水路２６（リム通水路）及び第２リム吐水口２４に洗浄水を供給する第２リム通水路２８（リム通水路）に分岐している。当該分岐領域１０ｄが、リム通水開始領域となっている。
【００３０】
なお、本実施形態の水洗式大便器１においては、第１リム吐水口２２を含む第１リム通水路２６と、第２リム吐水口２４を含む第２リム通水路２８とは、陶器製の便器本体２と一体に形成されている。しかしながら、本発明は、このような形態に限られず、第１リム吐水口を含む第１リム通水路と、第２リム吐水口を含む第２リム通水路とが、便器本体とは別体のディストリビユータ等により形成された形態にも適用可能である。
【００３１】
図１及び図２に示すように、本実施形態による水洗式大便器１のボウル部８の汚物受け面１６は、前方側汚物受け面１６ａと、後方側汚物受け面１６ｂと、を備えている。
【００３２】
そして、図１及び図２に示すように、リム部１８の内周面１８ａの下方領域に、洗浄水を導く棚形通水路３０が形成されている。棚形通水路３０は、汚物受け面１６の外周領域でもある。棚形通水路３０は、第１リム吐水口２２から吐水された洗浄水がリム部１８の内周面１８ａに沿って旋回することを支援するために設けられており、第１リム吐水口２２からボウル部８の前方端に向かって下方に徐々に下降傾斜する一方で、前方端から後方側に向かっては上方へ徐々に上昇傾斜している（図２参照）。また、棚形通水路３０は、ボウル部８の後方端では幅狭に形成されている。
【００３３】
このような棚形通水路３０の存在のために、第１リム吐水口２２から吐水される洗浄水は、図１に示すように、ボウル部８の前方端近傍において棚形通水路３０から排水路１２に向けて流れ落ち始める主流Ｍ１１を形成すると共に、棚形通水路３０を流れ続けて第２リム吐水口２４近傍から排水路１２に向けて流れ落ち始める副流Ｍ１２を形成するようになっている。
【００３４】
一方、棚形通水路３０の後方端が幅狭であるために、第２リム吐水口２４から吐水される洗浄水は、ボウル部８の後方端近傍において棚形通水路３０から排水路１２に向けて流れ落ち始める主流Ｍ２１を形成すると共に、棚形通水路３０を流れ続けて第１リム吐水口２２近傍から排水路１２に向けて流れ落ち始める副流Ｍ２２を形成するようになっている。
【００３５】
また、図２に示すように、排水路１２は、凹部２０の底面と接続し且つ後方下方へ延びる導入管３２によって構成されている。導入管３２は、トラップ流路を有しており、すなわち、下方へ延びる流路部分３２ａと、その後に再び上方へ延びる流路部分３２ｂと、を有している。導入管３２は、凹部２０の底面と滑らかな連続湾曲面として繋がっており、凹部２０から導入管３２に流入する洗浄水が当該導入管３２内をスムーズに流れるようになっている。
【００３６】
本実施形態では、導水路１０の底面（の少なくとも一部）、ボウル部８の後方側汚物受け面１６ｂ（の少なくとも一部）、及び、排水路１２の上面（の少なくとも一部）は、中実領域Ｓ（陶器部分）の外表面によって構成されている。そして、当該中実領域Ｓに、導水路１０の底面から排水路１２の上面側に至る水抜流路４０が形成されている。
【００３７】
本実施形態の水抜流路４０の出口開口４２は、排水路１２の上面側の最下位置において開口されている。そして、水抜流路４０は出口開口４２の近傍領域において、鉛直下向きに延びる。
【００３８】
水抜流路４０の入口開口４１の断面積は、７ｍｍ2〜２０ｍｍ2程度である。但し、水抜流路４０の入口開口４１を除いた部分（水抜流路４０の入口開口４１の近傍領域を含む）の断面積は、水抜流路４０の入口開口４１の断面積よりも大きくなっており、具体的には、２０ｍｍ2〜８０ｍｍ2程度である。なお、図１に示すように、本実施形態において入口開口４１は円形であるが、本発明はこのような形態に限定されるものではなく、例えば、半円形や四角形等でもよい。
【００３９】
そして、導水路１０の底面は、水抜流路４０の入口開口４１に向けて、高さ位置が低くなっている。具体的には、傾斜角度５°程度で傾斜している。
【００４０】
更に、本実施の形態の導水路１０の底面は、深さ５ｍｍ程度の凹部１０ｒを有しており、水抜流路４０の入口開口４１は、当該凹部１０ｒ内に設けられている。
【００４１】
また、リム通水路２６、２８の底面は、導水路１０の凹部１０ｒ（すなわち水抜流路４０の入口開口４１）に向けて、高さ位置が低くなっている。具体的には、傾斜角度２°程度で傾斜している。
【００４２】
次に、以上のような構成からなる本実施形態の作用について説明する。
【００４３】
使用者が操作スイッチ（図示せず）をＯＮ操作すると、貯水タンクの排水口（図示せず）が開き、所定量の洗浄水が導水路１０内に流入する。洗浄水は、導水路１０からリム通水開始領域を経て第１リム通水路２６及び第２リム通水路２８を流れ、第１リム吐水口２２及び第２リム吐水口２４からそれぞれ吐水される。
【００４４】
前述のように、第１リム通水路２６の底面及び第２リム通水路２８の底面には、第１リム吐水口２２及び第２リム吐水口２４に至る洗浄水の通水を妨げるような傾斜が設けられている。しかし、洗浄水の流入開始時には洗浄水に勢いがあるため、これらの傾斜にも拘わらず、洗浄水は第１リム吐水口２２及び第２リム吐水口２４を通過して吐水される。
【００４５】
本実施形態では、第１リム吐水口２２から吐水される洗浄水は、ボウル部８の前方端近傍において棚形通水路３０から排水路１２に向けて流れ落ち始める主流Ｍ１１を形成すると共に、棚形通水路３０を流れ続けて第２リム吐水口２４近傍から排水路１２に向けて流れ落ち始める副流Ｍ１２を形成する。第１リム吐水口２２からの主流Ｍ１１も副流Ｍ１２も、旋回流となって汚物受け面１６を洗浄しながら、排水路１２へと排出される。
【００４６】
一方、第２リム吐水口２４から吐水される洗浄水は、ボウル部８の後方端近傍において棚形通水路３０から排水路１２に向けて流れ落ち始める主流Ｍ２１を形成すると共に、棚形通水路３０を流れ続けて第１リム吐水口２２近傍から排水路１２に向けて流れ落ち始める副流Ｍ２２を形成する。第２リム吐水口２４からの主流Ｍ２１も副流Ｍ２２も、旋回流となって汚物受け面１６を洗浄しながら、排水路１２へと排出される。
【００４７】
導水路１０内に流入した所定量の洗浄水は、ほぼその全てが第１リム吐水口２２及び第２リム吐水口２４から吐水され、僅かな一部が水抜流路４０を介して排水路１２に直接排出され、また、僅かな一部が流れに取り残されて導水路１０の底面や第１リム通水路２６及び第２リム通水路２８の底面に留まる。このように留まった残水は、そのまま存置されると、カビなどが生えるという懸念がある。また、リム吐水口２２、２４から点滴すると、吐水（洗浄）が終了していないとの誤解を与える可能性があると共に、見映えが宜しくなく、また、残水の点滴によりボウル部に水垢が発生する懸念がある。
【００４８】
本実施形態では、そのような問題を解決すべく、導水路１０の底面から排水路１２の上面側に至る水抜流路４０が形成されると共に、導水路１０の底面が水抜流路４０の入口開口４１に向けて、傾斜角度５°程度で傾斜している。このため、導水路１０に取り残された残水は、当該傾斜のために水抜流路４０の入口開口４１へと案内されて水抜される。
【００４９】
特に、本実施形態では、導水路１０の底面に深さ５ｍｍ程度の凹部１０ｒが設けられ、水抜流路４０の入口開口４１は当該凹部１０ｒ内に設けられている。このため、当該凹部１０ｒに集められた残水の水位に応じた水頭圧が作用することで、一層効果的な水抜作用を期待することができる。
【００５０】
また、本実施形態では、リム通水路２６、２８の底面も、導水路１０の凹部１０ｒ（すなわち水抜流路４０の入口開口４１）に向けて傾斜角度２°程度で傾斜している。このため、リム通水路２６、２８に取り残された残水も、当該傾斜のために水抜流路４０の入口開口４１へと（逆向きに）案内されて水抜される。
【００５１】
以上のように、本実施形態によれば、リム吐水口２２、２４から吐出される洗浄水によるボウル部８の洗浄が終了した後（導水路１０への所定量の洗浄水の供給が終了した後）、導水路１０内に留まりそうになった残水が導水路１０の底面の傾斜によって水抜流路４０の入口開口４１へと案内されて排水路１２に排水され、また、リム通水路２６、２８内に留まりそうになった残水についてもリム通水路２６、２８の底面の傾斜によって水抜流路４０の入口開口４１へと（逆向きに）案内されて排水路１２に排水されるため、残水がリム通水路２６、２８を経てリム吐水口２２、２４から点滴することが効果的に抑制される。
【００５２】
特に、本実施形態の水抜流路４０によれば、汚物受け面１６の後方側に位置するリム通水開始領域から排水路１２に至るまで、長さが比較的短いため、効果的な水抜作用を期待することができる。
【００５３】
また、本実施形態の導水路１０は、凹部１０ｒを有しており、水抜流路４０の入口開口４１は、当該凹部１０ｒ内に設けられているため、当該凹部１０ｒに残水が集められるとその水位に応じた水頭圧が作用して、一層効果的な水抜作用を期待することができる。
【００５４】
また、本実施の形態の水抜流路４０の出口開口４２は、排水路１２の上面側の最下位置において開口されているため、封水水位が低下して水抜流路４０を介して臭気が上がってきてしまうという懸念に対して最も有効である。
【００５５】
また、本実施の形態の水抜流路４０の入口開口４１の断面積は、直径３ｍｍ〜５ｍｍ程度であるから、ボウル部８の洗浄中に水抜流路４０から排水されてしまう洗浄水の量は少なく抑えられている。一方、水抜流路４０の入口開口４１の近傍領域の断面積が水抜流路４０の入口開口４１の断面積よりも大きくなっているために、表面張力が作用して残水が水抜流路４０の入口開口４１に流入しないということも防止されている。
【００５６】
なお、水抜流路４０の少なくとも一部、例えば入口開口４１及びその近傍領域を除く部分は、泥漿を外部に排出するために形成された排泥流路の一部からなることが好ましい。すなわち、陶器として製造される中実領域Ｓの製造過程で形成される排泥流路の一部を、水抜流路４０の少なくとも一部として流用することが好ましい。
【００５７】
次に、本発明の第２実施形態について、図３を用いて説明する。図３は、本発明の第２実施形態による水洗式大便器２０１の左右方向中央の断面図である。
【００５８】
図３に示すように、本実施形態の水洗式大便器２０１においては、水抜流路２４０の出口開口２４２が、排水路１２の上面側の最下位置よりも後方側において開口されている。そして、水抜流路２４０の出口開口２４２の近傍領域の方向が、当該出口開口２４２に向かって後方向きである。
【００５９】
本実施形態の水抜流路２４０の断面積は、入口開口２４１及びその近傍領域を含めて、７８ｍｍ2〜３１４ｍｍ2程度となっている。
【００６０】
本実施形態のその他の構成については、図１及び図２を用いて説明した第１実施形態と略同様である。図３において、第１実施形態と同様の部分については、同様の符号を付している。また、本実施形態の第１実施形態と同様の部分については、詳しい説明を省略する。
【００６１】
本実施形態によれば、水抜流路２４０を通過してくる洗浄水が、封水を後方側（排出側）に向けて押し出すように作用する。この作用は、汚物の排出に効果的である（微弱サイホン）。
【００６２】
特に、水抜流路２４０の断面積が、入口開口２４１及びその近傍領域を含めて７８ｍｍ2〜３１４ｍｍ2程度となっていることにより、微弱サイホン効果を十分に発揮することができる。
【００６３】
また、本実施形態によっても、第１実施形態と同様の残水の水抜効果を得ることができる。
【００６４】
次に、本発明の第３実施形態について、図４を用いて説明する。図４は、本発明の第３実施形態による水洗式大便器３０１の左右方向中央の断面図である。
【００６５】
図４に示すように、本実施形態の水洗式大便器３０１においては、水抜流路３４０の出口開口３４２が、排水路１２の上面側の最下位置よりも前方側において開口されている。但し、美観上の観点から、水抜流路３４０の出口開口３４２は、ボウル部８の上方からは見えない位置に設けられている。そして、水抜流路３４０は出口開口３４２の近傍領域において、当該出口開口３４２に向かって後方向きに延びている。
【００６６】
本実施形態の水抜流路３４０の断面積は、入口開口３４１及びその近傍領域を含めて、７８ｍｍ2〜３１４ｍｍ2程度となっている。
【００６７】
本実施形態のその他の構成については、図１及び図２を用いて説明した第１実施形態と略同様である。図４において、第１実施形態と同様の部分については、同様の符号を付している。また、本実施形態の第１実施形態と同様の部分については、詳しい説明を省略する。
【００６８】
本実施形態の場合によっても、水抜流路３４０を通過してくる洗浄水が、封水を後方側（排出側）に向けて押し出すように作用する。この作用は、汚物の排出に効果的である（微弱サイホン）。
【００６９】
特に、水抜流路３４０の断面積が、入口開口３４１及びその近傍領域を含めて７８ｍｍ2〜３１４ｍｍ2程度となっていることにより、微弱サイホン効果を十分に発揮することができる。
【００７０】
また、本実施形態によっても、第１実施形態と同様の残水の水抜効果を得ることができる。
【００７１】
次に、本発明の第４実施形態について、図５を用いて説明する。図５は、本発明の第４実施形態による水洗式大便器４０１の左右方向中央の断面図である。
【００７２】
図５に示すように、本実施形態の水洗式大便器４０１においては、水抜流路４４０がトラップ流路４４４を有している。トラップ流路４４４は、下方へ延びる流路部分４４４ａの後に再び上方へ延びる流路部分４４４ｂを有している。
【００７３】
本実施形態のその他の構成については、図１及び図２を用いて説明した第１実施形態と略同様である。図５において、第１実施形態と同様の部分については、同様の符号を付している。また、本実施形態の第１実施形態と同様の部分については、詳しい説明を省略する。
【００７４】
本実施形態によれば、水抜流路４４０がトラップ流路４４４を有していることにより、水抜流路４４０の出口開口４４２に対して封水水面が低下してしまった場合であっても、水抜流路４４０から排水路１２への残水の排出が途切れた後に水抜流路４４０内に流入する残水によって、いわゆる封水が溜まり、当該封水によって水抜流路４４０を介して臭気が上がってくることが防止される。
【００７５】
また、本実施形態によっても、第１実施形態と同様の残水の水抜効果を得ることができる。
【００７６】
次に、本発明の第５実施形態について、図６を用いて説明する。図６は、本発明の第５実施形態による水洗式大便器５０１の左右方向中央の断面図である。
【００７７】
図６に示すように、本実施形態の水洗式大便器５０１においても、水抜流路５４０がトラップ流路５４４を有している。トラップ流路５４４は、下方へ延びる流路部分５４４ａの後に再び上方へ延びる流路部分５４４ｂを有している。
【００７８】
しかし、図６に示すように、水抜流路５４０の出口開口５４２は、排水路１２の上面側の最下位置よりも後方側において開口されており、設計上の封水水面よりも上方に位置づけられている。
【００７９】
本実施形態のその他の構成については、図１及び図２を用いて説明した第１実施形態と略同様である。図６において、第１実施形態と同様の部分については、同様の符号を付している。また、本実施形態の第１実施形態と同様の部分については、詳しい説明を省略する。
【００８０】
本実施形態によれば、水抜流路５４０がトラップ流路５４４を有していることにより、水抜流路５４０の出口開口５４２よりも封水水面の方が低いにも拘わらず、水抜流路５４０から排水路１２への残水の排出が途切れた後に水抜流路５４０内に流入する残水によって、いわゆる封水が溜まり、当該封水によって水抜流路を介して臭気が上がってくることが防止される。
【００８１】
また、本実施形態によっても、第１実施形態と同様の残水の水抜効果を得ることができる。
【００８２】
次に、本発明の第６実施形態について、図７乃至図９を用いて説明する。図７は、本発明の第６実施形態による水洗式大便器６０１の洗浄水の流れの様子を示す平面図であり、図８は、本発明の第６実施形態による水洗式大便器６０１の左右方向中央の断面図であり、図９は、図７のガイド部１０ｇの拡大平面図である。
【００８３】
図７乃至図９に示すように、本実施形態の水洗式大便器６０１においては、上流側から水抜流路４０の入口開口４１に向かう洗浄水をリム通水路２６、２８にガイドするガイド部１０ｇが、水抜流路４０の入口開口４１より上流側の導水路１０の底面から突出している。
【００８４】
具体的には、本実施形態のガイド部１０ｇは、全体として、平面視において円形である入口開口４１と同心で左右対称（図７及び図９においては上下対称）の円弧の形状を有する突出部である。
【００８５】
本実施形態のその他の構成については、図１及び図２を用いて説明した第１実施形態と略同様である。図７乃至図９において、第１実施形態と同様の部分については、同様の符号を付している。また、本実施形態の第１実施形態と同様の部分については、詳しい説明を省略する。
【００８６】
本実施形態によっても、第１実施形態と同様の残水の水抜効果を得ることができる。
【００８７】
そして、本実施形態によれば、全体として円弧状の突出部であるガイド部１０ｇの存在によって、上流側から水抜流路４０の入口開口４１に向かう洗浄水をリム通水路２６、２８に円滑にガイドすることができるため、ボウル部の洗浄中において、十分な量の洗浄水をリム吐水口２６、２８から吐水させることができる。
【００８８】
なお、ガイド部１０ｇの形態は、図７乃至図９に示したような円弧状に限定されない。例えば、図１０に示すように、平面視で左右対称（図１０においては上下対称）のＶ字状の形態が採用されてもよいし、図１１に示すように、両側鏡面が屈曲された三面鏡状の形態が採用されてもよい。
【００８９】
以上の各実施形態は、２つのリム吐水口２２、２４を有するタイプの水洗式大便器であるが（図１、図７参照）、本発明は１つのみリム吐水口を有するタイプの水洗式大便器や、３つ以上の吐水口を有するタイプの水洗式大便器にも適用可能である。
【００９０】
また、以上の各実施形態は、ゼット吐水口を有しないタイプの水洗式大便器であるが、本発明はゼット吐水口を有するタイプのいわゆるサイホンゼット式の水洗式大便器にも適用可能である。
【符号の説明】
【００９１】
１、１０１、２０１、３０１、４０１、５０１、６０１    水洗式大便器
２    便器本体
８    ボウル部
１０    導水路
１０ｄ  分岐領域
１０ｒ  凹部
１０ｇ  ガイド部
１２    排水路
１６    汚物受け面
１６ａ  前方側汚物受け面
１６ｂ  後方側汚物受け面
１８    リム部
１８ａ  内周面
２０    凹部
２２    第１リム吐水口（リム吐水部）
２４    第２リム吐水口（リム吐水部）
２６    第１リム通水路（リム通水路）
２８    第２リム通水路（リム通水路）
３２    導入管
３２ａ  下方へ延びる流路部分
３２ｂ  上方へ延びる流路部分
４０、２４０、３４０、４４０、５４０    水抜通路
４１、２４１、３４１、４４１、５４１    入口開口
４２、２４２、３４２、４４２、５４２    出口開口
４４４、５４４    水抜流路のトラップ流路
４４４ａ、５４４ａ    下方へ延びる流路部分
４４４ｂ、５４４ｂ    上方へ延びる流路部分
【図１】
2017166315.tif 000003
【図２】
2017166315.tif 000004
【図３】
2017166315.tif 000005
【図４】
2017166315.tif 000006
【図５】
2017166315.tif 000007
【図６】
2017166315.tif 000008
【図７】
2017166315.tif 000009
【図８】
2017166315.tif 000010
【図９】
2017166315.tif 000011
【図１０】
2017166315.tif 000012
【図１１】
2017166315.tif 000013